(57)【要約】【課題】貯水タンクへの給水終了後から洗浄工程開始までの時間を短くすることができる食器洗浄機を得る。【解決手段】食器洗浄機本体１の内部に設けられ被洗浄物を収納する洗浄室１３と、洗浄機本体１の外部から給水された洗浄水を貯留する貯水タンク２と、この貯水タンク２から第１の給水ポンプ６で給水された洗浄水を貯留し、その洗浄水を加熱する加熱ヒータ９を内蔵する加熱タンク８と、この加熱タンク８から洗浄室１３に加熱された洗浄水を供給する第２の給水ポンプ１１と、貯水タンク２から加熱タンク８には、第１の給水ポンプ６により次の洗浄工程で使用する量の給水のみを行い、その給水された水を現在の洗浄工程中に加熱ヒータ９により加熱させる制御手段とを備える。【選択図】図２
2007007178.tif 000002
【特許請求の範囲】
【請求項１】
洗浄機本体内部に設けられ被洗浄物を収納する洗浄室と、
前記洗浄機本体外部から給水された洗浄水を貯留する貯水タンクと、
この貯水タンクから第１の供給手段で給水された洗浄水を貯留し、その洗浄水を加熱する加熱手段を内蔵する加熱タンクと、
この加熱タンクから前記洗浄室に加熱された洗浄水を供給する第２の供給手段と、
前記貯水タンクから前記加熱タンクには、前記第１の供給手段により次の洗浄工程で使用する量の給水のみを行い、その給水された水を現在の洗浄工程中に前記加熱手段により加熱させる制御手段と、
を備えたことを特徴とする食器洗浄機。
【請求項２】
前記貯水タンクの横に前記加熱タンクを設け、前記第１、第２の供給手段をポンプとしたことを特徴とする請求項１記載の食器洗浄機。
【請求項３】
前記加熱タンクの上部に貯水タンクを設け、前記第１の供給手段を電磁弁とし、前記第２の供給手段をポンプとしたことを特徴とする請求項１記載の食器洗浄機。
【請求項４】
前記洗浄室の下部に前記貯水タンク、前記洗浄室の上部に前記加熱タンクを設け、前記第１の供給手段をポンプとし、前記第２の供給手段を電磁弁としたことを特徴とする請求項１記載の食器洗浄機。
【発明の詳細な説明】
【技術分野】
【０００１】
この発明は、一般家庭等で用いられる食器洗浄機に係り、特に給水タンクと加熱タンクとを備えた食器洗浄機に関するものである。
【背景技術】
【０００２】
従来の食器洗浄機では、洗浄水を洗浄室に給水するために、水道管の蛇口部分に分岐機構を設け、分岐機構の一つの分岐口から給水ホースを通じて、食器洗浄機本体の内部に設けた貯水タンクに洗浄水を貯留し、この貯水タンク内には洗浄水を加熱するヒータを設け、洗浄水を設定温度に加熱してから給水ポンプを通じて洗浄室に給水するようにしている。なお、貯水タンクへの給水の制御は水道蛇口の止水栓の開閉により行われる（例えば、特許文献１参照）。
【０００３】
【特許文献１】特開２００１−５７９５６号公報（段落番号００１１〜００３６、図１、図２）
【発明の開示】
【発明が解決しようとする課題】
【０００４】
従来の食器洗浄機には、洗浄およびすすぎ工程で使用する必要量の洗浄水を貯水タンクに予め貯留し、目的の設定温度に加熱してから洗浄室に給水して洗浄工程に入るため、貯水タンクへの給水終了後から洗浄工程開始までの時間が長く必要で、したがって、洗浄及びすすぎの全工程が終了する時間が長くかかる問題があった。
この発明は、上記のよう課題を解決するためになされたもので、貯水タンクへの給水終了後から洗浄工程開始までの時間を短くすることができる食器洗浄機を得ることを目的とする。
【課題を解決するための手段】
【０００５】
この発明に係る食器洗浄機は、洗浄機本体内部に設けられ被洗浄物を収納する洗浄室と、前記洗浄機本体外部から給水された洗浄水を貯留する貯水タンクと、この貯水タンクから第１の供給手段で給水された洗浄水を貯留し、その洗浄水を加熱する加熱手段を内蔵する加熱タンクと、この加熱タンクから前記洗浄室に加熱された洗浄水を供給する第２の供給手段と、前記貯水タンクから前記加熱タンクには、前記第１の供給手段により次の洗浄工程で使用する量の給水のみを行い、その給水された水を現在の洗浄工程中に前記加熱手段により加熱させる制御手段と、を備えたものである。
【発明の効果】
【０００６】
この発明は、洗浄機本体外部から給水された洗浄水を貯留する貯水タンクと、この貯水タンクから第１の供給手段で給水された洗浄水を貯留し、その洗浄水を加熱する加熱手段を内蔵する加熱タンクと、この加熱タンクから洗浄室に加熱された洗浄水を供給する第２の供給手段と、貯水タンクから前記加熱タンクには、第１の供給手段により次の洗浄工程で使用する量の給水のみを行い、その給水された水を現在の洗浄工程中に加熱手段により加熱させる制御手段と、を備えたので、洗浄水の貯水後から洗浄工程開始までの時間を短縮することができる。
【発明を実施するための最良の形態】
【０００７】
実施の形態１．
図１はこの発明の実施の形態を示す食器洗浄機の使用状態の斜視図、図２は食器洗浄機の断面図である。
図１、図２において、食器洗浄機本体１の内部には貯水タンク２が設けられ、貯水タンク２の上部側面には食器洗浄機本体１の側面を貫通して外部に突出した給水パイプ３が設けられ、給水パイプ３の先端には給水口４が設けられている。貯水タンク２の下部側面には第１の接続口５が設けられ、その第１の接続口５から第１の供給手段である第１の給水ポンプ６を介して第１の給水ホース７が加熱タンク８の上部側面に接続されている。加熱タンク８の内部下方には加熱ヒータ９が設けられ、加熱タンク８の下部側面には第２の接続口１０が設けられ、その第２の接続口１０から第２の供給手段である第２の給水ポンプ１１を介して第２の給水パイプ１２が洗浄室１３の側面上部に接続されている。なお、貯水タンク２の横に加熱タンク８が設置されている。
【０００８】
洗浄室１３の内部には被洗浄物である食器等が収納でき、洗浄室１３の下面には洗浄水が溜まる洗浄下室１４が設けられ、洗浄下室１４の下部側面から洗浄ポンプ１５に接続され、洗浄ポンプ１５の排出部１６は回転自在な洗浄ノズル１７が接続されている構成となっている。
【０００９】
洗浄下室１４の下部には、洗浄水の排水口１８が設けられており、排水口１８から排水ポンプ１９を通って、食器洗浄機本体１の外部に出た第１の排水パイプ２０が設けられている。
【００１０】
貯水タンク２の内部には、水位センサー２１と、オーバーフロー口２２が設けられており、オーバーフロー口２２には第２の排水パイプ２３が食器洗浄機本体１の外部まで出るように設けられている。水位センサー２１は、貯水タンク２に１回分の洗浄・すすぎ作業で必要な水量が供給されたことを検知し、ブザー等の報知手段を動作させる。
【００１１】
また、加熱タンク８の内部には洗浄水の温度が洗浄・すすぎ工程で必要な温度に達したかを測定する温度センサー２４が設けられている。また、加熱タンク８への給水と、加熱ヒータ９の加熱制御を行う制御手段（図示せず）が設けられている。
なお、食器洗浄機本体１は、図１に示すように、シンク２５の水道蛇口２６の下部に給水口４が存在するように設置され、給水口４への給水、止水は給水手段である水道蛇口２６のハンドル２７の操作で行われる。
【００１２】
次に、動作について図１、図２により説明する。
このように構成された食器洗浄機本体１においては、食器を洗浄室１３に設置後、食器洗浄機本体１の電源スイッチ（図示せず）を入れ、水道蛇口２６のハンドル２７を操作し、水道蛇口２６から水道水（洗浄水）を給水口４に注ぐと、洗浄水は給水パイプ３を通って貯水タンク２に給水される。
【００１３】
貯水タンク２への給水が進み、水位センサー２１がこれを検知すると、制御手段によりブザー等の報知手段を作動させ、使用者に給水の停止を促すと共に、第１の給水ポンプ６を駆動させ、次の洗浄工程に必要な分の水量のみ加熱タンク８に洗浄水を給水する。
【００１４】
使用者は、ブザー等の報知を確認後、ハンドル２７を操作して、水道蛇口２６からの給水を停止する。なお、ハンドル２７操作が遅れ、規定水量以上の水が供給されると、水はオーバーフロー口２２から第２の排水パイプ２３を通じてシンク２５に排出される。
加熱タンク８に所定量の洗浄水が給水されると、制御手段により加熱ヒータ９が通電され、洗浄水を加熱する。洗浄水の温度が所定温度に達したことを温度センサー２４が検知すると、加熱ヒータ９の通電をオフし、第２の給水ポンプ１１を駆動させ、加熱された洗浄水を第２の給水パイプ１２を通じて洗浄室１３に給水する。
【００１５】
洗浄室１３に給水が完了したときに、洗浄ポンプ１５を駆動させ、洗浄工程を開始する。  同時に、第１の給水ポンプ６を駆動させ、残りのすすぎ工程で必要な洗浄水を加熱タンク８に給水し、給水後加熱ヒータ９を通電させて、すすぎ工程で使用する温度まで加熱させておく。
【００１６】
洗浄工程が終了したときに、排水ポンプ１９を駆動させ、洗浄下室１４に溜まっている洗浄水を第１の排水パイプ２０を通じて、シンク２５に排出する。
【００１７】
次に、次の１回のすすぎ工程で必要な量の加熱された洗浄水を第２の給水ポンプ１１により加熱タンク８から洗浄室１３に給水して、すすぎ工程を開始する。
すすぎ工程は数回繰返されるが、１回目のすすぎ工程終了後は前記洗浄工程終了後と同様の工程が繰返される。
【００１８】
以上のように、食器洗浄機本体１の内部に設けられ被洗浄物を収納する洗浄室１３と、洗浄機本体１の外部から給水された洗浄水を貯留する貯水タンク２と、この貯水タンク２から第１の給水ポンプ６で給水された洗浄水を貯留し、その洗浄水を加熱する加熱ヒータ９を内蔵する加熱タンク８と、この加熱タンク８から洗浄室１３に加熱された洗浄水を供給する第２の給水ポンプ１１と、貯水タンク２から加熱タンク８には、第１の給水ポンプ６により次の洗浄工程で使用する量の給水のみを行い、その給水された水を現在の洗浄工程中に加熱ヒータ９により加熱させる制御手段とを備え、加熱タンク８への給水は洗浄室１３で使用する次工程で必要な量の洗浄水しか入れず、その洗浄水のみを加熱するようにしているので、加熱ヒータ９の容量が同一の場合に短時間で必要温度まで加熱することができる。
なお、加熱タンク８は次工程で必要な量の洗浄水しか入れないので貯水タンク２より小さくできる。
【００１９】
実施の形態２．
以上の実施の形態１では、貯水タンク２の横に加熱タンク８を設置するようにしたものであるが、次に、貯水タンク２の下部に加熱タンク８を設置したことを特徴とする食器洗浄器に関する実施の形態を示す。
図３は、実施の形態２を示す食器洗浄機の断面図である。
図３において、実施の形態１の図２と同一または相当部分には同一の符号を付し説明を省略する。食器洗浄機本体１の内部に設けられた貯水タンク２の下部には加熱タンク８が設けられている。貯水タンク２の底面と加熱タンク８の天面は第１の供給手段である電磁弁２８で接続されている。
【００２０】
次に、動作について図３により説明する。
このように構成された食器洗浄機本体１においては、貯水タンク２に必要量の水を蓄える動作までは実施の形態１と同一である。貯水タンク２に必要量の水がたまると、電磁弁２８を動作させ、通路を開くと貯水タンク２の水が重力により下部の加熱タンク８に落ちて入ることになる。加熱タンク８へ必要量の洗浄水が入ったら、電磁弁２８を閉じ、加熱タンク８への給水を止める。なお、加熱タンク８への洗浄水の量は電磁弁２８の動作時間で設定することができる。加熱タンク８に洗浄水が給水されたら、加熱ヒータ９を通電し、洗浄水を加熱する動作に入り、その後の動作は実施の形態１と同一であるので説明を省略する。
【００２１】
以上のように、加熱タンク８の上部に貯水タンク２を設け、第１の供給手段を電磁弁２８とし、貯水タンク２と加熱タンク８とを電磁弁２８を介して給水可能に接続し、第２の供給手段を第２の給水ポンプ１１とし、加熱タンク８への給水は洗浄水の自重を利用し、水量は電磁弁２８の開閉時間で行うようにしたので、貯水タンク２から加熱タンク８への給水に第１の給水ポンプ６のような高価な部品を使用しないですみ、低コストとすることができる。
【００２２】
実施の形態３．
以上の実施の形態１、２では、加熱タンク８を洗浄室１３の下部に設けた構造のものであるが、次に、加熱タンク８を洗浄室１３の上部に設けたことを特徴とする食器洗浄器に関する実施の形態を示す。
【００２３】
図４は、実施の形態３を示す食器洗浄機の断面図である。
図４において、実施の形態１の図２と同一または相当部分には同一の符号を付し説明を省略する。食器洗浄機本体１の内部に設けられた洗浄室１３の下部には貯水タンク２が設けられ、洗浄室１３の上部には加熱タンク８が設けられている。貯水タンク２と加熱タンク８は第１の給水ポンプ６を介して給水ホース７で接続されており、加熱タンク８の底面と洗浄室１３の天面は第２の供給手段であある電磁弁２８で接続されている。
【００２４】
次に動作について図４により説明する。
このように構成された食器洗浄機本体１においては、加熱タンク８に必要量の水を蓄え加熱する動作までは実施の形態１と同一である。加熱タンク８に給水された洗浄水が設定温度に達すると、加熱ヒータ９の通電を停止し、電磁弁２８を動作させ、通路を開くと加熱タンク８の水が重力により下部の洗浄室１３に落ちて給水されることになる。洗浄室１３に給水後は洗浄工程に入り、その後の動作は実施の形態１、２と同一であるため説明を省略する。
【００２５】
以上のように、洗浄室１３の下部に貯水タンク２、洗浄室１３の上部に加熱タンク８を設け、第１の供給手段を第１の給水ポンプ６とし、第２の供給手段を電磁弁２８とし、加熱タンク８と洗浄室１３とを電磁弁２８を介して給水可能に接続し、洗浄室１３への給水は洗浄水の自重を利用して行うようにしたので、加熱タンク８から洗浄室１３への給水に第２の給水ポンプ１１のような高価な部品を使用しないですみ、低コストとすることができる。
また、加熱タンク８を上部に設置することにより、貯水タンク２の給水口４の位置を低くすることが可能となり、シンク２５の上面から水道蛇口２６までの距離が小さい台所でも使用が可能となり、利用できる範囲が広がる。
さらに、加熱タンク８を洗浄室１３の上部に設置する構造とすることにより、洗浄室１３の天井面を加温できるため、すすぎ工程で付着した天井面の水滴を、次の乾燥工程で早く取り除くことができるようになり、食器を取り出すときに天井面の水滴が食器に落下し、食器が再度ぬれてしまうという恐れがなくなる。
【図面の簡単な説明】
【００２６】
【図１】この発明の実施の形態１を示す食器洗浄機の使用状態の斜視図である。
【図２】この発明の実施の形態１を示す食器洗浄器の断面図である。
【図３】この発明の実施の形態２を示す食器洗浄器の断面構である。
【図４】この発明の実施の形態３を示す食器洗浄器の断面構である。
【符号の説明】
【００２７】
１  食器洗浄器本体、２  貯水タンク、８  加熱タンク、９加熱ヒータ、１３  洗浄室、２６  水道蛇口、２７  ハンドル、２８  電磁弁。
【図１】
2007007178.tif 000003
【図２】
2007007178.tif 000004
【図３】
2007007178.tif 000005
【図４】
2007007178.tif 000006